(57)【特許請求の範囲】
【請求項１】
被洗髪者の頭部を仰向けに収容する水槽を有し、洗浄液を噴射して洗髪を行う自動洗髪機であって、
被洗髪者の頭部に沿うように湾曲形状をし、洗浄液を噴射するための複数個のノズルが配置されていて、被洗髪者の前頭部に対向する上位置から後頭部に対向する下位置までの間を反復移動する上ノズルリンクを有し、
上ノズルリンクが下方へ移動中、被洗髪者の頭部から垂れ下がっている髪と接する位置に達した時から下位置までの間、および、下位置から上方へと移動中の水平位置に達するまでの間は、前記ノズルからの洗浄水の噴射を禁止する噴射制限手段を設けたことを特徴とする自動洗髪機。
【請求項２】
収容された被洗髪者のうなじ下方に位置し、洗浄液を噴射するための複数個のノズルが配置されていて、被洗髪者のうなじから後頭部および頭部から垂れ下がっている髪へ向けて洗浄液を噴射するように回動する下ノズルリンクを有し、
下ノズルリンクが垂れ下がっている髪の根元から毛先へ向かって回動している間は前記ノズルから洗浄液を噴射させるが、垂れ下がった髪の毛先から根元へ向かって回動している間は前記ノズルからの洗浄液の噴射を禁止する噴射制限手段を設けたことを特徴とする、請求項１記載の自動洗髪機。
【請求項３】
被洗髪者の頭部を仰向けに収容する水槽を有し、洗浄液を噴射して洗髪を行う自動洗髪機であって、
被洗髪者の頭部に沿うように湾曲形状をし、洗浄液を噴射するための複数個のノズルが配置されていて、被洗髪者の前頭部に対向する上位置から後頭部に対向する下位置までの間を反復移動する上ノズルリンクと、
水槽に収容された被洗髪者のうなじ下方に位置し、洗浄液を噴射するための複数個のノズルが配置されていて、被洗髪者のうなじに向けて洗浄水を噴射する下位置から頭から垂れ下がった髪に向けて洗浄水を噴射する上位置までの間を反復回動する下ノズルリンクと、
上ノズルリンクが上位置のときは下ノズルリンクは下位置で、上ノズルリンクが下位置まで移動した時には下ノズルリンクが上位置まで回動しているように、上下ノズルリンクの反復動作を連動させるリンク機構と、
上ノズルリンクが下方へ移動中、被洗髪者の頭部から垂れ下がっている髪と接する位置に達した時から下位置までの間は、上ノズルリンクからの洗浄水の噴射を禁止すると共に、上ノズルリンクの下方への移動に連動して下位置から上位置へと回動し、被洗髪者のうなじから後頭部そして頭部から垂れ下がっている髪に向けて洗浄液を噴射している下ノズルリンクからの洗浄液の噴射を、上ノズルリンクの洗浄液の噴射禁止と同期して禁止し、上ノズルリンクが下位置から上方への移動中の水平位置に達するまでの間も上ノズルリンクからの洗浄水の噴射を禁止し、下ノズルリンクが上位置から下位置に向けて回動する間は下ノズルリンクからの洗浄水の噴射を禁止する噴射制限手段とを有することを特徴とする自動洗髪機。
【発明の詳細な説明】
【０００１】
【発明の属する技術分野】
この発明は、温水、シャンプー液、トリートメント液等の洗浄液を髪および頭部に噴射して自動的に洗髪を行う自動洗髪機に関する。
【０００２】
【従来の技術】
自動洗髪機は、温水等を洗髪者の頭および髪に噴射して自動洗髪を行うものである。かかる自動洗髪機は、良好に洗髪が行える装置として顧客の好評を博している。
しかし、被洗髪者の髪が長い場合等には、自動洗髪により髪が絡むことがあるという不具合が指摘されていた。
【０００４】
【発明が解決しようとする課題】
この発明は、上述のような市場の要求に応え、より快適な自動洗髪を行うことができる自動洗髪機を提供することを目的とする。
この発明の具体的な目的は、洗髪時に髪が絡むのを防止するように改善された自動洗髪機を提供することである。
【０００６】
【課題を解決するための手段および発明の効果】
請求項１記載の発明は、被洗髪者の頭部を仰向けに収容する水槽を有し、洗浄液を噴射して洗髪を行う自動洗髪機であって、被洗髪者の頭部に沿うように湾曲形状をし、洗浄液を噴射するための複数個のノズルが配置されていて、被洗髪者の前頭部に対向する上位置から後頭部に対向する下位置までの間を反復移動する上ノズルリンクを有し、上ノズルリンクが下方へ移動中、被洗髪者の頭部から垂れ下がっている髪と接する位置に達した時から下位置までの間、および、下位置から上方へと移動中の水平位置に達するまでの間は、前記ノズルからの洗浄水の噴射を禁止する噴射制限手段を設けたことを特徴とする自動洗髪機である。
【０００７】
請求項２記載の発明は、収容された被洗髪者のうなじ下方に位置し、洗浄液を噴射するための複数個のノズルが配置されていて、被洗髪者のうなじから後頭部および頭部から垂れ下がっている髪へ向けて洗浄液を噴射するように回動する下ノズルリンクを有し、下ノズルリンクが垂れ下がっている髪の根元から毛先へ向かって回動している間は前記ノズルから洗浄液を噴射させるが、垂れ下がった髪の毛先から根元へ向かって回動している間は前記ノズルからの洗浄液の噴射を禁止する噴射制限手段を設けたことを特徴とする、請求項１記載の自動洗髪機である。
【０００８】
請求項３記載の発明は、被洗髪者の頭部を仰向けに収容する水槽を有し、洗浄液を噴射して洗髪を行う自動洗髪機であって、被洗髪者の頭部に沿うように湾曲形状をし、洗浄液を噴射するための複数個のノズルが配置されていて、被洗髪者の前頭部に対向する上位置から後頭部に対向する下位置までの間を反復移動する上ノズルリンクと、水槽に収容された被洗髪者のうなじ下方に位置し、洗浄液を噴射するための複数個のノズルが配置されていて、被洗髪者のうなじに向けて洗浄水を噴射する下位置から頭から垂れ下がった髪に向けて洗浄水を噴射する上位置までの間を反復回動する下ノズルリンクと、上ノズルリンクが上位置のときは下ノズルリンクは下位置で、上ノズルリンクが下位置まで移動した時には下ノズルリンクが上位置まで回動しているように、上下ノズルリンクの反復動作を連動させるリンク機構と、上ノズルリンクが下方へ移動中、被洗髪者の頭部から垂れ下がっている髪と接する位置に達した時から下位置までの間は、上ノズルリンクからの洗浄水の噴射を禁止すると共に、上ノズルリンクの下方への移動に連動して下位置から上位置へと回動し、被洗髪者のうなじから後頭部そして頭部から垂れ下がっている髪に向けて洗浄液を噴射している下ノズルリンクからの洗浄液の噴射を、上ノズルリンクの洗浄液の噴射禁止と同期して禁止し、上ノズルリンクが下位置から上方への移動中の水平位置に達するまでの間も上ノズルリンクからの洗浄水の噴射を禁止し、下ノズルリンクが上位置から下位置に向けて回動する間は下ノズルリンクからの洗浄水の噴射を禁止する噴射制限手段とを有することを特徴とする自動洗髪機である。
【００１７】
請求項１〜３の構成では、上ノズルリンクおよび下ノズルリンクがそれぞれ洗浄液を噴射する際に、髪の垂れ下がった方向へ向けてだけ洗浄液を噴射するようにする。すなわち、頭部から垂れ下がった髪に対して上下ノズルリンクが髪を持ち上げる方向や髪を絡める方向に洗浄液を噴射する場合には、洗浄液の噴射を止める。これにより、洗浄液の噴射が髪をあたかも櫛ですくように作用し、髪が絡むことがない。
【００１８】
請求項１および２の構成においては、上ノズルリンクの移動と、下ノズルリンクの回動とを連動させてもよいし、させなくてもよい。
一方、請求項３の構成では、上ノズルリンクが頭から垂れ下がっている髪に当たり、髪が上ノズルリンクによって逃げ場を失った状態のときには、上ノズルリンクの移動と連動して回動している下ノズルリンクからの噴射を止めるので、逃げ場を失った髪に下ノズルリンクから洗浄液が噴射されることなく、髪の絡みが生じない。
【００２２】
以上のように、この発明によれば、市場において改善要求があったり、より快適な装置のための要件を具備した自動洗髪機を提供することができる。
【００２３】
【発明の実施の形態】
以下には、図面を参照して、この発明の実施形態について具体的に説明をする。
図１は、この発明の一実施形態に係る自動洗髪機１の斜視図である。図２は、自動洗髪機１によって被洗髪者が洗髪を行っている様子を示す図解的な縦断面図である。図１，２を参照して、自動洗髪機１は、キャビネット３によってその外観形状が構成されている。キャビネット３の上面中央には開閉可能なフード２が備えられている。キャビネット３上面におけるフード２の左側（自動洗髪機１を正面側から見た時を基準とする。以下の説明においても同様。）には、手前から順に、ハンドシャワー４、トリートメント容器５およびシャンプー容器６が配置されている。ハンドシャワー４は手で持って引き出すことができる。トリートメント容器５およびシャンプー容器６は、必要に応じて他の容器と交換可能である。
【００２４】
キャビネット３上面におけるフード２の右側にはコントロールプレート７が配置されている。コントロールプレート７はキャビネット３の上面とほぼ面一またはやや凸状になるように取り付けられている。コントロールプレート７には自動洗髪機１の運転制御を行うための種々のスイッチが備えられている。
キャビネット３上面の、フード２の右後方側にはハンドシャワー用コック８が突設されている。ハンドシャワー用コック８はキャビネット３の上面に形成された窪み９内に設けられている。
【００２５】
図１に示すようにフード２を開いた状態では、被洗髪者の頭部を仰向けに挿入するための入口１０が現れる。入口１０の手前側には被洗髪者の首を乗せるためのネック台１５が形成されている。入口１０は下方の水槽１１に連なっている。
水槽１１内には、水槽１１の右壁に片持ち支持された上ノズルリンク１２および下ノズルリンク１３が備えられている。これら上下ノズルリンク１２，１３は、支持部を中心に回動運動（反復運動）をする。また、水槽１１の内壁には、複数個の固定ノズル１４が配置されている。
【００２６】
自動洗髪は、図２に示すように、被洗髪者の頭部を仰向けに、被洗髪者の首がネック台１５に乗るように頭部を水槽１１内に収容し、フード２を被せて、被洗髪者の顔が露出した状態で行われる。自動洗髪では、上ノズルリンク１２が洗浄水を噴射しながら上下に反復移動し、下ノズルリンク１３が反復回動しながら洗浄水を噴射し、かつ固定ノズル１４が洗浄水を噴射する。
この実施形態では、後述するように、上ノズルリンク１２の移動と洗浄水の噴射との関係、および、下ノズルリンク１３の回動と洗浄水の噴射との関係が所定の条件を満たすようにされ、洗浄水の噴射によって髪に絡みが生じないようにされている。
【００２７】
図３は、自動洗髪機１の水路図である。自動洗髪機１では、洗髪用の温水は貯湯タンク４５に溜められる。そして貯湯タンク４５に溜められた温水がポンプ５９で汲み出され、水槽１１内に配置された複数のノズル２４，２６，１４，２８，２９，３０および小孔７１から噴射されて洗髪が行われる。
貯湯タンク４５への温水の供給は、ミキシングバルブ４１によって行われる。
ミキシングバルブ４１には、外部の水道設備から水供給部４０を経て水が与えられるとともに、外部の給湯設備から湯供給部４２を経て湯が与えられる。水供給部４０は、手動弁、フィルタ、逆止弁、アキュムレータ、安全弁等をユニット化したものである。同様に、湯供給部４２は、手動弁、フィルタ、逆止弁等をユニット化したものである。
【００２８】
ミキシングバルブ４１は、与えられる水と湯とを混合し、温水にして出力する。この実施形態では、ミキシングバルブ４１は、モータ３９により駆動される。
より具体的には、ミキシングバルブ４１には、調整機構として、水と湯との混合割合を可変するための弁（図示せず）が備えられており、この弁がモータ３９によって駆動される。そして弁によって水と湯との混合割合が調整されることにより、所望の温度の温水が作られる。
【００２９】
ミキシングバルブ４１で作られた温水は、貯湯バルブ４３が開かれると、供給管４４を介して貯湯タンク４５へ供給される。供給管４４には、ミキシングバルブ４１から供給される温水の温度を検知するためのサーミスタ４６が備えられている。
貯湯タンク４５の内部には、貯湯タンク４５に溜められている温水の水量を検出するための下位水量センサ５０および上位水量センサ５１が備えられている。
下位水量センサ５０および上位水量センサ５１の出力は、マイクロコンピュータにおいて、貯湯バルブ４３の開閉制御に利用される。これにより、貯湯タンク４５内に常に適量の温水が満たされ得るようにされている。
【００３０】
なお、貯湯タンク４５の下方位置には、貯湯タンク４５に溜められた温水の温度を検出するためのサーミスタ５２が備えられている。
貯湯タンク４５の上方位置には、上位水量センサ５１で検出される水量以上に温水が貯湯タンク４５内に溜まった場合、その余分な温水を貯湯タンク４５の外部へ溢れ出させるための溢水口５３が形成されている。溢水口５３の下方にはドレンパン５５が備えられている。溢水口５３から溢れ出した温水はドレンパン５５で受け止められ、ドレンパン５５から機外に延びている排水管５６を通って機外に排水される。
【００３１】
なお、ドレンパン５５には、水位センサ５４が設けられている。これは、排水管５６に一旦排水された温水が逆流等して、ドレンパン５５内に温水が満ちた異常状態を検出するためのものである。
ミキシングバルブ４１で作られた温水は、また、ハンドシャワー用コック８が開かれると、供給ホース４９を介してハンドシャワー４に導かれる。この結果、ハンドシャワー４から温水を噴射させることができる。
【００３２】
貯湯タンク４５の下方には流出管５７の一端が接続されている。流出管５７の他端は、ポンプ５９の吸い込み口に接続されている。ポンプ５９はインバータ５８から交流電流が供給されることによって駆動される。ポンプ５９が駆動されると、貯湯タンク４５に溜められていた温水は、流出管５７を通って汲み出され、ポンプ５９内に吸い込まれる。
流出管５７の途中部には、シャンプー供給管６１およびトリートメント供給管６２が合流している。シャンプー供給管６１は、シャンプー容器６からシャンプー用ポンプ６５を介して流出管５７に接続されている。また、トリートメント供給管６２は、トリートメント容器５からトリートメント用ポンプ６６を介して流出管５７に接続されている。
【００３３】
シャンプー用ポンプ６５およびトリートメント用ポンプ６６は、管６１，６２を扱くことによってシャンプー容器６やトリートメント容器５に収容されているシャンプー液やトリートメント液をそれぞれ汲み出し、各管６１，６２を介して送り出すためのものである。
この構成において、ポンプ５９がインバータ５８によって駆動される間に、シャンプー用ポンプ６５が駆動されると、シャンプー容器６に収容されているシャンプー液がシャンプー供給管６１を介して流出管５７に供給される。その結果、温水にシャンプー液が混入されて、シャンプー用温水が作られる。
【００３４】
同様に、ポンプ５９が駆動される間に、トリートメント用ポンプ６６が駆動されると、トリートメント容器５に収容されているトリートメント液がトリートメント供給管６２を介して流出管５７に供給される。その結果、温水にトリートメント液が混入され、トリートメント用温水が作られる。
ポンプ５９内に吸い込まれた温水、シャンプー用温水またはトリートメント用温水は、ポンプ５９の出力側から吐き出される。ポンプ５９の出力側には、複数、たとえば、８つの分路に分かれる分岐管７５が接続されている。
【００３５】
分岐管７５には、フィルタ７４が設けられ、その下流側の各分路先端には、８つのバルブ、すなわち、上ノズルバルブ７６、下ノズルバルブ７７、固定ノズルバルブ７８〜８１、排水バルブ８２およびネックバルブ８３が接続されている。
そして各バルブを介して管８４〜９１がそれぞれ接続されている。
管８４の先端は、上ノズルリンク１２に接続されている。管８５の先端は下ノズルリンク１３に接続されている。管８６の先端部は水槽１１の側壁外方に配置されており、管８６の先方部には、複数の固定ノズル１４が所定間隔で配列されている。管８７〜８９の先端は、水槽１１の側壁に配置された固定ノズル２８，２９，３１にそれぞれ接続されている。管９０の先端は、水槽１１の底面下方に連設された排水トラップ９２、排水管９３を介して排水管５６に接続されている。管９１の先端は被洗髪者の首部分を洗浄するための小孔７１に接続されている。
【００３６】
この構成によれば、インバータ５８によってポンプ５９を駆動し、かつ各バルブ７６〜８３を必要に応じて選択的に開くことにより、水槽１１内の所望のノズルや小孔から温水、シャンプー用温水またはトリートメント用温水を噴射させ、被洗髪者の髪を自動的に洗髪することができる。
また、上ノズルリンク１２および下ノズルリンク１３は、洗髪時には、駆動機構３１によってそれぞれ揺動および回動される。その結果、上ノズル２４および下ノズル２６から噴射される温水の噴射方向が変化して、これにより被洗髪者の髪を満遍なく、かつ良好に洗髪できる。
【００３７】
駆動機構３１は、上ノズルリンク１２の反復移動と下ノズルリンク１３の反復回動とを連動させるリンク機構である。すなわち、上ノズルリンク１２が上位置のとき下ノズルリンク１３は下位置で、上ノズルリンク１２が下位置まで移動したら下ノズルリンク１３が上位置になるように両者を連動させている。
なお、この実施形態では、駆動機構３１が上下ノズルリンク１２，１３の揺動および回動を連動させているが、上下ノズルリンク１２，１３は、別々に関連付けられることなく動く構成でもよい。
【００３８】
またこの際の、上ノズル２４および下ノズル２６の位置と、噴射との関係は、以下に説明するように髪の絡みが生じないようにされている。
図４は、上ノズルリンク１２の反復揺動動作とノズルからの洗浄水の噴射との関係を説明する図であり、Ａは参考のために示した従来の制御、Ｂはこの発明の一実施形態の制御である。
図４に示すように、上ノズルリンク１２は支持部１２ａを中心に上位置（被洗髪者の前頭部に対向する位置）と下位置（被洗髪者の後頭部に対向する位置）との間を反復移動することができる。そしてＡに示すように、従来は上位置と下位置との間を連続的に洗浄水を噴射しながら反復移動していた。
【００３９】
これに対し、この実施形態では、Ｂに示すように、上ノズルリンク１２が上位置から下位置に向かって移動する場合には、上ノズルリンク１２が被洗髪者の髪と接触する位置までは、ノズル２４から洗浄水を噴射する。そして上ノズルリンク１２が被洗髪者の髪と接触する位置から下位置に移動する間は、バルブ７６を閉じてノズル２４からの洗浄水の噴射を中断する。これにより、髪の毛先にノズルが当たり、強い水圧がかかることにより髪が絡むといったことが防止できる。
【００４０】
上ノズルリンク１２が下位置に達した後上位置に向かって移動する時には、上ノズルリンク１２が水平位置に達するまで、ノズル２４からの洗浄水の噴射は中断を継続する。これにより、洗浄水の噴射で髪の毛先が持ち上げられて絡むといった事態を防止できる。
上ノズルリンク１２が水平位置に達した後上位置へ移動する間は、バルブ７６を開いてノズル２４から洗浄水を噴射する。
【００４１】
図５は、下ノズルリンク１３の反復回動運動と噴射との関係を説明するための図で、比較のためにＡに従来の制御が示され、Ｂにこの実施形態に係る制御が示されている。
下ノズルリンク１３は、支持部１３ａを中心に上位置と下位置との間を反復移動（約９０°の範囲を反復回動する）。
従来は、図５Ａに示すように、上位置と下位置との間を回動する間、ノズル２６から洗浄水が噴射されていた。つまり下ノズルリンク１３は、上位置から下位置との間を連続的に洗浄水を噴射しながら反復運動をしていた。
【００４２】
これに対し、この実施形態では、図５Ｂに示すように、下ノズルリンク１３が下位置から上位置へ移動する場合には、洗浄水を噴射するが、上位置から下位置へ移動する間は洗浄水の噴射をやめるようにした。これにより、洗浄水は髪の毛先から毛元に向けて噴射されることがなくなり、かかる噴射によって髪が持ち上げられて絡むといった事態を防止できる。
さらにこの実施形態では、図６に示すように、上ノズルリンク１２および下ノズルリンク１３には、共に、その長さ方向中央部にノズルは配置されておらず、中央部を中心に左右両側にそれぞれノズルが配置されている。換言すれば偶数個のノズルが各ノズルリンクの長さ方向中央部に対して線対称に左右両側に配置されている。
【００４３】
これにより、図７Ａに示すように、被洗髪者の頭のセンターライン上にノズルが配置されておらず、頭のセンターラインに沿って洗浄水が噴射されることがない。それに代え、図７Ｂに示すように、被洗髪者の頭部に対して左右両側から洗浄水が噴射される。これにより洗浄水の噴射によって被洗髪者の髪が絡むことがほとんどなくなる。
図８は、図４および図５を参照して説明した上ノズルリンク１２および下ノズルリンク１３の動作を制御する制御回路の構成を示すブロック図である。図８に示すように、制御回路にはマイクロコンピュータ１７が含まれており、マイクロコンピュータ１７により駆動機構３１に含まれる駆動モータ１８が動作される。
駆動モータ１８が回転すると図示しないリンク機構の作用により、上ノズルリンク１２および下ノズルリンク１３が反復運動を行う。上ノズルリンク１２および下ノズルリンク１３の位置は位置センサ１９により検知され、検知信号はマイクロコンピュータ１７にフィードバックされる。マイクロコンピュータ１７では、位置センサ１９から得られる上ノズルリンク１２および下ノズルリンク１３の位置信号に基づき、バルブ７６および７７を開閉制御する。
【００４４】
図９はマイクロコンピュータ１７の制御動作を示すフローチャートである。図９の流れに従って、マイクロコンピュータ１７の制御動作を説明する。
絡み防止運転では、まず、行程情報が読み取られる（ステップＳ１）。ここではオンするバルブ、オフに維持しておくバルブ、インバータ５８の出力周波数等が、予め定められて記憶されている行程情報から読み取られる。次いで位置センサ１９の出力に基づいて上ノズルリンク１２および下ノズルリンク１３の位置を検知する（ステップＳ２）。そして読み取った行程情報から、上ノズルリンク１２のみを動作させる場合には、上位置から上ノズルリンク１２が髪と接触する位置まではポンプ５９を読み取った周波数で動作させ、上ノズルリンク１２が髪と接触する位置から下位置を経て水平位置に戻るまでは、ポンプ５９の駆動を中断させる（ステップＳ３，Ｓ４）。
【００４５】
そしてその行程の処理時間が経過していなければステップＳ５からＳ２へと戻る。
一方、下ノズルリンク１３のみを動作させる場合には、下ノズルリンク１３が下位置から上位置まで移動する間はポンプ５９を所定の周波数で動作させ、下ノズルリンク１３が上位置から下位置まで移動する間はポンプ５９の動作を中断させる（ステップＳ７）。
【００４６】
さらに上ノズルリンク１２のみを動作させたり、下ノズルリンク１３のみを動作させたりする場合以外は、ステップＳ１で読み取った行程情報に基づきポンプ５９を所定周波数で動作させる（ステップＳ８）。たとえば、請求項３に記載したように、上ノズルリンク１２と下ノズルリンク１３とを関連させて動作させるときに、上ノズルリンク１２の噴射と下ノズルリンク１３の噴射とを請求項３の内容に従って制御する。あるいは、固定ノズル２８，２９，３０等から洗浄水を噴射して洗浄を行う等の動作をする。
【００４７】
そして行程時間が経過すれば、次の行程へと進む。
この行程を実行することにより、髪の絡みが生じない。また、先の行程において髪に絡みが生じていても、この行程を行うことで、絡んだ髪をときほぐすことができる。
以上のように、上ノズルリンク１２および下ノズルリンク１３の位置と洗浄水の噴射との関係を制御して、髪の絡みを防止するようにされているのに加え、図１０に図解的に示すように、保護ネット９５を設けて、髪の絡みを防ぐようにしてもよい。すなわち、被洗髪者の頭部から水槽内に垂れ下がった髪の毛先がノズル１４に接触したり、髪の毛先から毛元に向けて洗浄水が噴射されると、髪絡みが生じやすい。そこで図１０に示すように、ノズル１４と垂れ下がる髪との間に、髪の毛先の向きを変える保護ネット９５を設ける。保護ネット９５は、洗浄液が通過自在であり、これにより、洗浄性能はそのままで、洗浄に伴い髪絡みが生じることがない。
【００４８】
また、図１１Ａに示すように、水槽１５に収容される被洗髪者の首を受け止めるネック台１５から水槽１１内へと連なる部分には、被洗髪者の襟足下方に位置する凹部空間９４が形成されている。洗髪時に洗浄水が噴射されることにより、被洗髪者の髪がこの凹部空間９４内に入り込み、そこで髪絡みを生じることがわかった。そこで、凹部空間９４に髪が進入するのを防止するために、図１１Ｂに一点鎖線で示すように防止ネット９６が設けられてもよい。
【００４９】
なお、図１１Ｂでは、図１０で説明した保護ネット９５の配置位置が参考のために二点鎖線で示されている。保護ネット９５と防護ネット９６とを併設してもよいし、あるいは一方のネットだけが備えられていてもよい。
なお、図１１において２７は襟足洗浄用のノズルを示している。下ノズルリンク１３に加えて、図１１に示すように襟足洗浄用の専用ノズル２７が水槽１１の壁面に配置された構成であってもよい。
【００５０】
図１２，１３は、首支持部に関する変形例を示す縦断面図および平面図である。
首支持部としてのネック台１５には、水槽１１の前壁から後方（水槽内方）へ回動変位し、被洗髪者の後頭部を受け止める受部材９７が備えられていてもよい。受部材９７は、ネック台１５および水槽１１の前壁上部に取り付けられた固定部９８と、固定部９８に対して回動する可動部９９とを有している。可動部９９はばね１００によって常時は固定部９８に接する方向に弾力付勢されている。可動部９９にはスポンジ、ゴム等が巻かれた受部１０１が備えられていて、この受部１０１によって被洗髪者の後頭部が受け止められる。
【００５１】
かかる構成であれば、被洗髪者の襟足部分から後頭部にかけて生えた髪は、受部１０１により下方に垂れ下がるように掻き集めれる。それゆえ襟足洗浄用ノズル２７や下ノズルリンク１３から噴射される洗浄水が効率良く被洗髪者の襟足および後頭部へ到達し、これらの部位を良好に洗浄できる。
また、被洗髪者は、首だけでなく後頭部も支持されるから、その支持が安定し、リラックスした状態で自動洗髪を受けることができる。
【００５２】
受部材９７は、被洗髪者の頭部が水槽１１から出た時には、ばね１００によって自動的に水槽前壁に密着するので、美容師等が水槽１１内を洗浄等する際に、受部材９７が邪魔になることはない。
図１４は、フード２だけを取り出して示した斜視図である。フード２には被洗髪者の顔を露出させる切欠２ａが形成されている。そして切欠２ａに沿って、被洗髪者の顔と接するフェイスシール３４が取り付けられている。フェイスシール３４は、軟らかく可撓性のある材料で形成されており、図示しないがその裏側（フード２に接する側と反対側）は当板３５（図１８参照）で補強されている。
【００５３】
被洗髪者の頭部が水槽に挿入されてフード２が閉じられた状態では、フェイスシール３４は、図１５に示すように、被洗髪者の顔の周囲に接し、かつ、耳を外側に露出させた状態にする。被洗髪者の顔の周囲および耳は、フェイスシール３４で仕切られるので、噴射された洗浄水が顔や耳に達することはない。
ところで、フェイスシール３４で仕切られてはいるが、洗髪中は、被洗髪者の頭部には上ノズルリンク１２等から洗浄水が激しく噴射されている。噴射される洗浄水は、被洗髪者の頭部以外にも、フェイスシール３４の裏面側（水槽内に面した側）へも当たり、洗浄水の噴射音、水飛沫の飛び散る音その他で水槽内にはかなりの騒音が生じている。
【００５４】
騒音のうち、被洗髪者の耳に対応する部分のフェイスシール３４に当たる水跳ね音は、被洗髪者にとっては比較的大きな騒音であり、これの低減が望まれる。
そこで、この実施形態では、図１６に示すように、フェイスシール３４の耳に対応する部分にネット３６を設けた。ネット３６は、フェイスシール３４の表面および下面の両側を覆うようにリング状とした。かかるネット３６を設けることにより、被洗髪者が感じる騒音が低減される。なお、ネットは、フェイスシール３４の裏面側にだけ貼り付け、リンク状でなくてもよい。
【００５５】
図１６の構成に代え、あるいは図１６の構成に加えて、フェイスシール３４の裏面を、図１７Ａ，ＢまたはＣに示すような形状としてもよい。
すなわち、フェイスシール３４の裏面に細かな凹凸を形成する。凹凸は、滑らかに連続した凹凸でもよいし（Ａ）、三角形状の凹凸でもよい（Ｂ）。あるいはフェイスシール３４の裏面側に起毛を形成してもよい（Ｃ）。さらには、フェイスシール３４の裏面側に細かなディンプルを多数個形成した構成でもよい。
【００５６】
フェイスシール３４の裏面に、細かな凹凸や起毛を施すことで、そこにぶつかる水跳ね音の低減が図れる。
さらに、図１８に示すように、当板３５に曲げ加工を施してもよい。
前述したように、フェイスシール３４は可撓性のある柔らかなシートであるから、フード２に取り付けた後、その下方から当板３５で取り付け状態を補強する必要がある。
【００５７】
図１８Ａ，Ｂは、被洗髪者の顔の横断面が図解的に示されており、それに当接するフェイスシール３４と当板３５の断面が示されている。Ａに示すように、従来の当板３４は所定形状の平板であった。これをＢに示すように被洗髪者の顔面側において内方へ湾曲したかえし３８を有する当板３５とする。これによりフェイスシール３４に達する水飛沫が、当板３５の返し３８で遮られるため、フェイスシール３４裏面に当たる水飛沫により生じる騒音が低減される。
【００５８】
図１９は、自動洗髪機によって自動洗髪を受ける場合に装着する首巻きの一例を示す図である。首巻き１０５の形状は、図１９Ａに示すものである。すなわち、下辺１０６に沿って接着領域１０７が形成されていて、この接着領域はネック台１５に対し左右方向に接着される。首巻き１０５は、上辺１０８の中央部から略Ｖ字状またはＵ字状の切欠１０９が形成されており、ここに被洗髪者の首が収まり得るようになっている。そして切欠１０９には接着紐１１０が備えられている。さらに首巻き１０５が所定方向にその形状を維持し得るようなハリ１１１が形成されている。ハリ１１１は首巻き１０５にリブを立てたり凹条を形成することで作ることができる。なお首巻き１０５は、たとえば薄い弾力のある樹脂材料等で形成されている。
【００５９】
首巻き１０５が装着された状態は図１９Ｂに示されている。首巻き１０５は被洗髪者の首の周囲を覆い、フェイスシール３４と被洗髪者の顎や首部分の隙間から外に漏れ出る洗浄水が、被洗髪者の首より下方へと侵入するのを防止する役目をする。
図２０は、首支持部としてのネック台１５の変形例を示す図である。ネック台１５は、水槽１１と一体的にたとえばＦＲＰにより形成されている。このネック台１５の水槽１１側に、被洗髪者の首を洗浄可能な構成を設けたものが以下の実施形態である。
【００６０】
図２１は図２０のＡ−Ａ′に沿う断面図であり、図２２は図２０のＢ−Ｂ′に沿う断面図である。図２０〜２２を参照して、ネック台１５の内側（水槽１１側）には、弾性材料、たとえばゴムでできた中空部材１５１が備えられている。中空部材１５１の上面には、たとえば３つの円形領域１５２，１５３，１５４が形成されていて、各領域には多数の小孔７１が形成されている。
中空部材１５１には供給管９１を通じて温水が供給される。従って供給される温水は小孔７１から噴射される。
【００６１】
ネック台１５および中空部材１５１の上面側はネッククッション１５５で覆われている。ネッククッション１５５はたとえばスポンジで形成されている。ネッククッション１５５には領域１５２，１５３，１５４に対向する部分に円形の窓があけられていて、小孔７１から噴射する温水の噴射を妨げないようになっている。さらにネッククッション１５５には、ネック台１５の上部から水槽内方へ向かうように、平行に多数の凸条１５６および凹条１５７が形成されている。これら凸条１５６および凹条１５７は、小孔７１から噴射され、被洗髪者の首に当たった温水を水槽１１内へ誘導するためのものである。従ってネッククッション１５５の前方へは温水はほとんど漏れ出ることはない。
【００６２】
この構成により、被洗髪者の首も良好に洗浄できる。
図２３および図２４は、図２０〜図２２で説明した構成の変形例である。図２３に示すように、ネッククッション１５５に円形の窓を形成するのに代えて、ネッククッション１５５の水槽側から切欠を形成し、３つの領域が露出するようにしてもよい。
また、図２４に示すように、ネッククッション１５５を省略した構成としてもよい。
【００６３】
いずれの構成でも、被洗髪者の首を心地よく洗浄することができる。
この発明は、以上説明した各種の実施形態に限定されるものではなく、特許請求の範囲において種々の変更が可能である。
【図面の簡単な説明】
【図１】この発明の一実施形態に係る自動洗髪機の斜視図である。
【図２】自動洗髪機によって被洗髪者が洗髪を行っている様子を示す図解的な縦断面図である。
【図３】自動洗髪機の水路図である。
【図４】上ノズルリンクの反復揺動動作とノズルからの洗浄水の噴射との関係を説明する図であり、Ａは参考のために示した従来の制御、Ｂはこの発明の一実施形態の制御である。
【図５】下ノズルリンクの反復回動運動と噴射との関係を説明するための図で、Ａは比較のために示した従来の制御、Ｂはこの実施形態に係る制御である。
【図６】上ノズルリンクおよび下ノズルリンクにおけるノズルの配置位置を説明する図である。
【図７】Ａは被洗髪者の頭のセンターライン上にノズルが配置されている場合の洗浄水の噴射を示す図であり、Ｂは被洗髪者の頭部に対して左右両側から洗浄水が噴射される様子を示す図である。
【図８】上ノズルリンクおよび下ノズルリンクの動作を制御する制御回路の構成を示すブロック図である。
【図９】図８の制御回路の制御動作を示すフローチャートである。
【図１０】保護ネットにより髪の絡みを防止するための構成を示す図解図である。
【図１１】被洗髪者の襟足下方に位置する凹部空間と、その凹部空間に設けられる防止ネットと、襟足洗浄用ノズルとの関係を示す図であり、Ａは平面図、Ｂは図解的な縦断面図である。
【図１２】首支持部に関する変形例を示す縦断面図である。
【図１３】首支持部に関する変形例を示す平面図である。
【図１４】フードだけを取り出して示した斜視図である。
【図１５】フードを閉じた時のフェイスシールと被洗髪者の頭部との関係を表わす図である。
【図１６】フェイスシールの構成例を示す図である。
【図１７】フェイスシールの断面構成を示す図である。
【図１８】被洗髪者の顔の横断面と、フェイスシールと当たり板との関係を説明する断面図であり、Ａは従来の当たり板の場合、Ｂはこの発明の一実施形態に係る当たり板の場合が示されている。
【図１９】自動洗髪機によって自動洗髪を受ける場合に装着する首巻きの一例を示す図である。
【図２０】首支持部の変形例を示す平面図である。
【図２１】図２０のＡ−Ａ′に沿う断面図である。
【図２２】図２０のＢ−Ｂ′に沿う断面図である。
【図２３】首支持部の構成の変形例を示す図である。
【図２４】首支持部の構成の他の変形例を示す図である。
【符号の説明】
１    自動洗髪機
２    フード
２ａ    切欠
１１    水槽
１２    上ノズルリンク
１３    下ノズルリンク
１５    ネック台
１４，２４，２６，２７，２８，２９，３０    ノズル
３４    フェイスシール
３５    当たり板
３８    かえし
７１    小孔
９４    凹部空間
９５    保護ネット
９６    防止ネット
９７    受部材
１５１    中空部材
１５５    ネッククッション
【図１】
0004550329.tif 000002
【図２】
0004550329.tif 000003
【図３】
0004550329.tif 000004
【図４】
0004550329.tif 000005
【図５】
0004550329.tif 000006
【図６】
0004550329.tif 000007
【図７】
0004550329.tif 000008
【図８】
0004550329.tif 000009
【図９】
0004550329.tif 000010
【図１０】
0004550329.tif 000011
【図１１】
0004550329.tif 000012
【図１２】
0004550329.tif 000013
【図１３】
0004550329.tif 000014
【図１４】
0004550329.tif 000015
【図１５】
0004550329.tif 000016
【図１６】
0004550329.tif 000017
【図１７】
0004550329.tif 000018
【図１８】
0004550329.tif 000019
【図１９】
0004550329.tif 000020
【図２０】
0004550329.tif 000021
【図２１】
0004550329.tif 000022
【図２２】
0004550329.tif 000023
【図２３】
0004550329.tif 000024
【図２４】
0004550329.tif 000025